(57)【要約】      （修正有）【課題】印象的な映像効果を有する動画像データを容易に作成することができる撮像装置を提供する。【解決手段】ズームレンズ６及びフォーカスレンズ５を備えた撮影光学系４を介した被写体光を撮像する撮像素子１２と、撮像素子からの撮像信号に基づくスルー画像を表示する表示部２０と、ズームレンズを駆動させることにより第１画角または第１画角と異なる第２画角に設定された状態で表示部の表示面に表示されるスルー画像上において、所定領域を設定する所定領域設定部１０と、ズームレンズ及びフォーカスレンズの駆動を制御することにより、第１画角で合焦させた合焦状態である第１の状態から、第２画角で非合焦状態である第２の状態へ所定時間かけて移動させる移動制御部１０と、移動制御部により第１の状態から第２の状態へ所定時間かけて移動させた動画像を含む動画像データを、作成する動画像データ作成部１０とを備える。【選択図】図１
2011087010.tif 000002
【特許請求の範囲】
【請求項１】
ズームレンズ及びフォーカスレンズを備えた撮影光学系を介した被写体光を撮像する撮像素子と、
前記撮像素子からの撮像信号に基づくスルー画像を表示する表示部と、
前記ズームレンズを駆動させることにより第１画角または前記第１画角と異なる第２画角に設定された状態で前記表示部の表示面に表示される前記スルー画像上において、所定領域を設定する所定領域設定部と、
前記ズームレンズ及び前記フォーカスレンズの駆動を制御することにより、前記第１画角に設定され、かつ前記所定領域設定部により設定された前記所定領域に対して合焦させた合焦状態である第１の状態から、前記第２画角に設定され、かつ前記所定領域に対して非合焦させた非合焦状態である第２の状態へ、または前記第２の状態から前記第１の状態へ所定時間かけて移動させる移動制御部と、
前記移動制御部により前記第１の状態から前記第２の状態へ、または前記第２の状態から前記第１の状態へ前記所定時間かけて移動させた動画像を含む動画像データを、前記撮像素子からの撮像信号に基づいて作成する動画像データ作成部と、
を備えることを特徴とする撮像装置。
【請求項２】
前記第１画角が前記第２画角より大きい画角であり、前記動画像データ作成部が前記第２の状態から前記第１の状態へ前記所定時間をかけて移動させた動画像を含む動画像データを作成する場合において、
前記動画像データ作成部による前記動画像データ作成を指示する指示部を更に備え、
前記所定領域設定部は、前記第１の状態に設定された状態で前記表示部の表示面に表示される前記スルー画像上において前記所定領域を設定し、
前記移動制御部は、前記指示部による指示がなされると、前記第１の状態から前記第２の状態へ移動させ、
前記動画像データ作成部は、前記指示部による指示から前記移動制御部による前記第１の状態から前記第２の状態までの移動の間、前記動画像データの作成を開始せず、前記移動制御部による移動が終了した後、前記動画像データの作成を開始することを特徴とする請求項１記載の撮像装置。
【請求項３】
前記第１画角は、前記第２画角より大きい画角であり、
前記第１画角に設定された状態で前記表示部の表示面に表示される前記スルー画像上において、前記第２画角を設定する画角設定部を備えることを特徴とする請求項１または請求項２記載の撮像装置。
【請求項４】
前記第２画角は、前記第１画角より大きい画角であり、
前記第２画角に設定された状態で前記表示部の表示面に表示される前記スルー画像上において、前記第１画角を設定する画角設定部を備えることを特徴とする請求項１記載の撮像装置。
【請求項５】
前記撮影光学系は、前記撮像装置に対して着脱可能に構成されており、
前記画角設定部は、前記撮影光学系の焦点距離範囲に基づく画角許容範囲内において、前記第１画角及び前記第２画角を設定することを特徴とする請求項２〜請求項４の何れか一項に記載の撮像装置。
【請求項６】
前記第１画角及び前記第２画角の少なくとも一方に設定された状態で前記表示部の表示面に表示される前記スルー画像上に被写体として人物が存在する場合において、前記スルー画像のサイズに対する前記人物の顔領域のサイズを検出する検出部を備え、
前記画角設定部は、前記検出部により検出された前記顔領域のサイズに基づいて、前記第１画角及び前記第２画角の少なくとも一方を設定することを特徴とする請求項２〜請求項５の何れか一項に記載の撮像装置。
【請求項７】
前記所定時間は、変更可能に構成されていることを特徴とする請求項１〜請求項６の何れか一項に記載の撮像装置。
【請求項８】
前記第２画角に設定された状態で前記表示部の表示面に表示される前記スルー画像上において、前記フォーカスレンズの駆動を制御することにより前記非合焦状態の非合焦度合を設定する非合焦度合設定部を備えることを特徴とする請求項１〜請求項７の何れか一項に記載の撮像装置。
【請求項９】
前記所定領域内の画像の高域成分を抽出する高域成分抽出部と、
前記高域成分抽出部により抽出された前記画像の高域成分に基づいて、前記非合焦状態の非合焦度合を設定する非合焦度合設定部と、
を備えることを特徴とする請求項１〜請求項７の何れか一項に記載の撮像装置。
【発明の詳細な説明】
【技術分野】
【０００１】
本発明は、動画像を記録可能な撮像装置に関するものである。
【背景技術】
【０００２】
被写体までの距離から撮影倍率を自動的に決定し、その決定した撮影倍率に応じた焦点距離から変倍系レンズの駆動量を算出し、算出結果に基づいて変倍系レンズをビデオ録画中において駆動させるカメラが提案されている（例えば、特許文献１参照）。また、露光中にズームレンズを自動的に移動させることにより露光間ズーミングによる特殊撮影効果を伴う静止画像を撮影することができるカメラが提案されている（例えば、特許文献２参照）。
【先行技術文献】
【特許文献】
【０００３】
【特許文献１】特開平２−１３５４２９号公報
【特許文献２】特開平２−４６４１４号公報
【発明の概要】
【発明が解決しようとする課題】
【０００４】
しかしながら、上述の特許文献１及び２には、フォーカスレンズとズームレンズを自動的に移動させることによりフォーカス状態とズーム状態とが連続的に変化する動画像を撮影する技術は開示されていない。
【０００５】
動画像を撮影する場合において、ズーム効果とフォーカシング効果とを組合わせて、例えばズームインされた非合焦の状態からズームアウトしつつ目標被写体に合焦させた状態へ徐々に変化する動画像等のような、印象的な映像効果を有する動画像を、簡単に取得可能な技術が所望されている。しかしながら、上述のような印象的な映像効果を有する動画像を、使用者がビデオカメラ等を手動操作して撮影しようとした場合には高度な操作技術を要していた。
【０００６】
本発明の目的は、印象的な映像効果を有する動画像を含む動画像データを容易に作成することができる撮像装置を提供することである。
【課題を解決するための手段】
【０００７】
本発明は以下のような解決手段により上記課題を解決する。なお、理解を容易にするために、本発明の実施の形態に対応する符号を付して説明するが、本発明はこれに限定されるものではない。
【０００８】
本発明の撮像装置は、ズームレンズ（６）及びフォーカスレンズ（５）を備えた撮影光学系（４）を介した被写体光を撮像する撮像素子（１２）と、前記撮像素子（１２）からの撮像信号に基づくスルー画像を表示する表示部（２０）と、前記ズームレンズ（６）を駆動させることにより第１画角または前記第１画角と異なる第２画角に設定された状態で前記表示部（２０）の表示面に表示される前記スルー画像上において、所定領域を設定する所定領域設定部（１０）と、前記ズームレンズ（６）及び前記フォーカスレンズ（５）の駆動を制御することにより、前記第１画角に設定され、かつ前記所定領域設定部（１０）により設定された前記所定領域に対して合焦させた合焦状態である第１の状態から、前記第２画角に設定され、かつ前記所定領域に対して非合焦させた非合焦状態である第２の状態へ、または前記第２の状態から前記第１の状態へ所定時間かけて移動させる移動制御部（１０）と、前記移動制御部（１０）により前記第１の状態から前記第２の状態へ、または前記第２の状態から前記第１の状態へ前記所定時間かけて移動させた動画像を含む動画像データを、前記撮像素子（１２）からの撮像信号に基づいて作成する動画像データ作成部（１０）とを備えることを特徴とする。
【発明の効果】
【０００９】
本発明の撮像装置によれば、印象的な映像効果を有する動画像を含む動画像データを容易に作成することができる。
【図面の簡単な説明】
【００１０】
【図１】実施の形態に係る電子カメラのシステム構成を示すブロック図である。
【図２】実施の形態に係る電子カメラにおいて動画像を撮影する際の処理について説明するためのフローチャートである。
【図３】実施の形態に係る表示部の表示例を示す図である。
【図４】実施の形態に係る表示部の表示例を示す図である。
【図５】実施の形態に係る表示部の表示例を示す図である。
【図６】第１の実施の形態に係る電子カメラにおいて動画像を撮影するための設定を行う際の処理について説明するためのフローチャートである。
【図７】実施の形態に係る表示部の表示例を示す図である。
【図８】実施の形態に係る表示部の表示例を示す図である。
【図９】実施の形態に係る電子カメラにおいて動画像を撮影する際の処理について説明するためのフローチャートである。
【図１０】動画像の記録開始から終了までを示すタイムチャートである。
【図１１】実施の形態に係る表示部の表示例を示す図である。
【図１２】第２の実施の形態に係る電子カメラにおいて動画像を撮影するための設定を行う際の処理について説明するためのフローチャートである。
【発明を実施するための形態】
【００１１】
以下、図面を参照して、本発明の第１の実施の形態に係る撮像装置としての電子カメラについて説明する。図１は、第１の実施の形態に係る電子カメラ２のシステム構成を示すブロック図である。図１に示すように、電子カメラ２には、フォーカスレンズ５、ズームレンズ６、フォーカスレンズ５を光軸方向に駆動させるフォーカスレンズ駆動部７、及びズームレンズ６を光軸方向に駆動させるズームレンズ駆動部８等を備えた撮影レンズ４が装着されている。フォーカスレンズ駆動部７及びズームレンズ駆動部８は、電子カメラ２（後述する制御部１０）からの制御に従い、フォーカスレンズ５及びズームレンズ６を駆動させる。なお、この実施の形態においては、撮影レンズ４が電子カメラ２に対して着脱可能なレンズ交換式の電子カメラを例に挙げて説明するが、レンズ一体式の電子カメラであってもよい。また、この実施の形態においては、静止画像及び動画像が撮影可能な電子カメラを例に挙げて説明するが、動画像のみ撮影可能な電子カメラであってもよい。
【００１２】
電子カメラ２は、マイクロプロセッサ等により構成され、電子カメラ２の各部を統括的に制御する制御部１０を備えている。制御部１０には、撮像素子１２、アンプ・Ａ／Ｄ変換部１４、記録媒体１８、表示部２０、スピーカ２２、操作部２４、及び記憶部２６が接続されている。
【００１３】
撮像素子１２は、ＣＣＤまたはＣＭＯＳ等により構成され、撮影レンズ４を介した被写体光を撮像して撮像信号を制御部１０に対して出力する。制御部１０は、撮像素子１２からの撮像信号をアナログ信号からデジタル信号に変換し、デジタル信号から画像データを作成する。ＣＭＯＳ型撮像素子の場合は、直接デジタル信号を出力する場合もある。また、制御部１０は、作成された画像データのコントラスト値を検出し、検出されたコントラスト値に基づいてコントラスト方式のオートフォーカスを行う。具体的には、フォーカスレンズ駆動部７を介してフォーカスレンズ５を光軸方向に移動させることによりフォーカス位置を調節する。
【００１４】
アンプ・Ａ／Ｄ変換部１４は、マイク１６により集音された電子カメラ２周辺の音声のアナログ信号をデジタル信号に変換し、変換された音声のデジタル信号を制御部１０に対して出力する。制御部１０は、アンプ・Ａ／Ｄ変換部１４から出力された音声のデジタル信号から音声データを作成する。記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部１０において作成された画像データや音声データ等が記録される。
【００１５】
表示部２０は、電子カメラ２の背面部に配置されるＬＣＤ等により構成されるモニタまたはＥＶＦ等により構成され、撮像素子１２からの撮像信号に基づくスルー画像、記録媒体１８に記録されている画像データに基づく静止画像や動画像、後述するシナリオ動画撮影モード毎にサンプル動画データとして電子カメラ２内の不図示のメモリに記憶されているサンプル動画、及び撮影に関する情報等を表示する。スピーカ２２は、記録媒体１８に記録されている音声データや、前述のカメラ内の不図示のメモリに記憶されているサンプル動画データに付随して不図示のメモリに記録されている音声データに基づく音声を出力する。
【００１６】
操作部２４は、電子カメラ２の電源をオン／オフする電源スイッチ、動画像及び音声の記録を開始する際に操作される録画開始ボタン（例えば、ＲＥＣボタンやシャッタボタン等）、動画像及び音声の記録を終了する際に操作される録画終了ボタン（例えば、ＲＥＣボタンやシャッタボタン等）、表示部２０にメニュー等を表示させるためのメニューボタン、メニュー項目等の選択や様々な設定時に操作される十字キー、メニュー項目等の選択や様々な設定に対する確定操作を行うための決定ボタン（ＯＫボタン）等を含んで構成されている。記憶部２６は、表示部２０の表示面に表示されているスルー画像に対して設定されるフォーカスポイント等（後述する）の表示面に対する位置等を記憶する。
【００１７】
この実施の形態に係る電子カメラ２では、制御部１０においてフォーカスレンズ５及びズームレンズ６の駆動を制御することにより、ズームインされた非合焦の状態からズームアウトしつつ目標被写体に合焦させた状態へ徐々に変化する動画像を自動的に撮影することができる。以下、図２に示すフローチャートを参照して、第１の実施の形態に係る電子カメラ２において上述の動画像を撮影する際の処理について説明する。
【００１８】
まず、制御部１０は、ユーザーにより動画撮影メニューの表示指示（例えば、メニューボタンの押下）がなされると、表示部２０に、例えば図３に示すような動画撮影メニュー画面２７を表示する（ステップＳ１０）。動画撮影メニュー画面２７には、様々な動画撮影モードを選択可能な項目（図３では、シナリオ動画撮影モードＡ，Ｂ，Ｃ，Ｄ，Ｅ）が表示される。ユーザーにより十字キー等を用いて１つの動画撮影モード（図３では、シナリオ動画撮影モードＢ）が選択され、ＯＫボタンが押下されると、制御部１０は、表示部２０に、例えば図４に示すような画面２８を表示する。画面２８には、「サンプル動画を表示しますか？」等のメッセージ、及びメッセージに対する回答を選択するための項目（図４では、「Ｙｅｓ」及び「Ｎｏ」）が表示される。
【００１９】
なお、この実施の形態では、シナリオ動画撮影モードＢがフォーカス状態とズーム状態とが連続的に変化しながら再生される動画像を撮影するモードであるものとする。また、サンプル動画は、各シナリオ動画撮影モードについての特徴的な映像効果を的確にユーザーに示すためにシナリオ動画撮影モード毎に予め作成されて電子カメラ２内の不図示のメモリ内に記憶されている動画像であり、ユーザーは、サンプル動画を視認することにより、選択したシナリオ動画撮影モードで撮影できる動画像がどういった形態（態様）のものかを容易に理解することができる。
【００２０】
ユーザーにより十字キー等を用いて「Ｙｅｓ」が選択され、ＯＫボタンが押下されると（ステップＳ１１、Ｙｅｓ）、制御部１０は、表示部２０に、例えば図５に示すようなサンプル動画の表示を行うための画面２９を表示する（図４から図５に表示が切り替わる）。画面２９には、サンプル動画を表示するためのサンプル動画表示エリア２９ａ、選択されたシナリオ動画撮影モードＢについて説明するための簡単な説明文（図５では、「フォーカス状態とズーム状態が連続的に変化しながら再生される動画を撮影します。」）を表示するメッセージ表示エリア２９ｂ、サンプル動画の再表示または動画撮影への移行を選択するためのアイコン（図５では、「再表示」及び「撮影へ」）がそれぞれ表示される。そして、制御部１０は、サンプル動画表示エリア２９ａに、シナリオ動画撮影モードＢのサンプル動画を表示する（ステップＳ１２）。
【００２１】
なお、シナリオ動画撮影モードには、図５中の説明文にあるような動画を撮影するモード以外にも、例えば、画面内で撮影距離の異なる被写体に対し順次フォーカスを切り換えながら動画を撮影するモードや、動いている被写体が近づいてくるとスロー再生されるような動画を撮影するモード等、モード毎に互いに異なるシナリオの下で再生表示されて様々な映像効果が得られる動画撮影モード（他のシナリオ動画撮影モードＡ，Ｃ〜Ｅ）が設けられている。
【００２２】
ユーザーにより十字キー等を用いて「再表示」が選択され、ＯＫボタンが押下されると（ステップＳ１３、Ｙｅｓ）、制御部１０は、図５に示す画面２９において、サンプル動画表示エリア２９ａにシナリオ動画撮影モードＢに対応するサンプル動画を再表示する（ステップＳ１２）。一方、図４に示す画面２８においてユーザーにより「Ｎｏ」が選択された場合（ステップＳ１１、Ｎｏ）、または図５に示す画面２９においてユーザーにより「撮影へ」が選択された場合（ステップＳ１３、Ｎｏ）には、制御部１０は、シナリオ動画撮影モードＢ、即ちフォーカス状態とズーム状態とが連続的に変化しながら再生される動画像を撮影するための設定へと移行する（ステップＳ１４）。
【００２３】
図６は、シナリオ動画撮影モードＢの動画像を撮影するための設定を行う際の処理について説明するためのフローチャートである。
【００２４】
まず、制御部１０は、図７に示すように、表示部２０の表示面にスルー画像３０、フォーカス移動後の（最後にフォーカスさせる目標の）フォーカスポイントを設定するためのマーク（図７では十字マーク）３２、表示面上部にユーザーに対して移動後の画角（ズームアウトされた状態、以下、第１画角という）の設定を促すメッセージ（図７では「ズームを合わせて、」）３４ａ、及び表示面右下部にユーザーに対して第１画角設定を終えた後にＯＫボタンを押下する旨を示すメッセージ３４ｂ等を表示する（ステップＳ２０）。制御部１０は、ユーザーによる操作部２４を介した操作指示によりズームレンズ駆動部８を介してズームレンズ６を駆動させることにより、画角を変化させる。そして、ユーザーにより第１画角（ズームアウトされた状態）が定められ、ＯＫボタンが押下されると、制御部１０は、ズームレンズ６の位置に基づいて第１画角を設定し、記憶部２６に記憶させる（ステップＳ２１）。
【００２５】
次に、制御部１０は、図８に示すように、表示部２０の表示面にスルー画像３０、マーク３２、表示面上部にユーザーに対してフォーカスポイントの設定を促すメッセージ（図８では「十字キーでフォーカスポイントを目標位置に移動してください。」）３４ｃ、及び表示面右下部にユーザーに対してフォーカスポイントの設定を終えた後にＯＫボタンを押下する旨を示すメッセージ３４ｄ等を表示する。この実施の形態では、ユーザーは、十字キー等を用いて、図７及び図８に示すマーク３２の位置（人物の顔）を移動後のフォーカスポイントとして設定するものとする。なお、マーク３２の代わりに、指定枠等を用いてフォーカスポイント領域を設定することもできる。そして、ユーザーによりフォーカスポイント（マーク３２）が定められ、ＯＫボタンが押下されると、制御部１０は、マーク３２の位置を移動後のフォーカスポイントとして設定し、記憶部２６に記憶させる（ステップＳ２２）。このとき、例えば表示部２０の表示面上部等に「ズームとフォーカス位置を記憶しました。」等のメッセージを表示させることもできる。
【００２６】
なお、ユーザーが十字キーを用いてマーク３２を移動させている際、制御部１０は、マーク３２が指す被写体に対して常時合焦するように、マーク３２の移動に伴い、フォーカスレンズ駆動部７を介してフォーカスレンズ５を駆動させ、フォーカス位置を移動させる。または、ユーザーによりマーク３２が移動させられている間はフォーカスレンズ５を移動させず、ユーザーによりマーク３２が定められ、ＯＫボタンが押下された後、マーク３２が指す被写体に対して合焦するように、フォーカスレンズ５を移動させてもよい。
【００２７】
動画像撮影のための設定を終えた後、制御部１０は、動画像の撮影へと移行する（図２のステップＳ１５）。図９は、シナリオ動画撮影モードＢの動画像を撮影するための処理について説明するためのフローチャートである。
【００２８】
まず、制御部１０は、ユーザーにより録画開始ボタン（この実施の形態ではＲＥＣボタン）が押下されたか否かを判別する（ステップＳ３０）。このとき、表示部２０の表示面右下部等にユーザーに対して動画像の記録を開始する際に録画開始ボタン（この実施の形態ではＲＥＣボタン）を押下する旨を示すメッセージ等を表示させることもできる。
【００２９】
ステップＳ３０において録画開始ボタンが押下されたと判別された場合には（ステップＳ３０、Ｙｅｓ）、制御部１０は、動画像及び音声の記録を開始する前に、図６のステップＳ２１において記憶された第１画角に設定され、かつステップＳ２２において記憶されたフォーカスポイント（マーク３２）の指す被写体に合焦させた合焦状態（以下、第１の状態という）から、移動前の画角（ズームインされた状態、以下、第２画角という）に設定され、かつステップＳ２２において記憶されたフォーカスポイント（マーク３２）の指す被写体に合焦させない非合焦状態（以下、第２の状態という）となるように、フォーカスレンズ５及びズームレンズ６を移動させる（ステップＳ３１）。
【００３０】
例えば図１０に示すように、時間ｔ１に録画開始ボタンが押下されたとき、表示部２０に表示されるスルー画像が、第１の状態に設定されたときの画像３６から、第２の状態に設定されたときの画像３８となるように、フォーカスレンズ５及びズームレンズ６を移動させる。フォーカスレンズ５を移動させることにより、マーク３２の指す被写体が合焦の状態から非合焦の状態になり、ズームレンズ６を移動させることにより、ステップＳ２１において記憶された第１画角から第２画角（ズームインされた状態）に設定される。
【００３１】
なお、第２の状態でのマーク３２の指す被写体の非合焦の度合、即ちボケ度合の大きさは、予め設定されており、図示しないメモリ等に記憶されている。制御部１０は、第２の状態でのマーク３２の指す被写体のボケ度合が予め設定されているボケ度合となるように、フォーカスレンズ５を移動させる。
【００３２】
また、第１画角に対する第２画角は、予め設定されており、図示しないメモリ等に記憶されている。この実施の形態では、第１画角は、第２画角より大きい画角であり、第２画角の２倍の画角に設定されているものとする。制御部１０は、撮影レンズ４が装着された際に、撮影レンズ４から撮影レンズ４のレンズ情報を取得し、このレンズ情報に含まれる焦点距離範囲から、設定されている第２画角が撮影レンズ４において設定可能な画角範囲内に含まれているか否かを判別する。画角範囲内に含まれている場合には、制御部１０は、第２の状態での画角が予め設定されている第２画角となるように、ズームレンズ６を移動させる。一方、画角範囲内に含まれていない場合には、制御部１０は、撮影レンズ４において設定可能な最大画角となるように、ズームレンズ６を移動させる。
【００３３】
なお、図６のステップＳ２１において設定された第１画角、及び撮影レンズ４の焦点距離範囲に基づく画角許容範囲に基づいて、第２画角を決定してもよい。また、撮影レンズ４の焦点距離範囲に基づく画角許容範囲に基づいて、図６のステップＳ２１において設定可能な第１画角範囲を制限してもよい。
【００３４】
ステップＳ３１においてフォーカスレンズ５及びズームレンズ６を移動させることにより第２の状態に設定された後（図１０では時間ｔ２）、制御部１０は、動画像及び音声の記録を開始する（ステップＳ３２）。そして、第２の状態から第１の状態となるように、フォーカスレンズ５及びズームレンズ６を所定時間かけて移動させる（ステップＳ３３）。即ち、図１０に示すように、第２の状態に設定されたときの画像３８から、徐々に第１の状態に設定されたときの画像３６となるように、所定時間（ｔ３−ｔ２）かけてフォーカスレンズ５及びズームレンズ６を移動させる。なお、画像４０は、フォーカスレンズ５及びズームレンズ６を移動させている途中の段階の画像である。
【００３５】
所定時間は、後述する録画可能時間を超えない範囲で予め設定されており、図示しないメモリ等に記憶されている。この実施の形態では、所定時間は６秒間に設定されている。また、フォーカスレンズ５及びズームレンズ６は、所定時間内に線形的に移動させてもよく、Ｓ字特性のように非線形的に移動させてもよい。この実施の形態においては、図１０のグラフに示すように、フォーカスレンズ５及びズームレンズ６がＳ字曲線を描くように移動するように設定されている。
【００３６】
次に、制御部１０は、録画可能時間が経過したか否かを判別する（ステップＳ３４）。録画可能時間は、１つの動画像及び音声を記録する最大時間であって、記録媒体１８の容量等に基づいて予め設定されており、図示しないメモリ等に記憶されている。この実施の形態では、録画可能時間は１５秒間に設定されている。ステップＳ３４において録画可能時間、即ち時間ｔ２から１５秒間経過していないと判別された場合には（ステップＳ３４、Ｎｏ）、制御部１０は、ユーザーにより録画終了ボタン（この実施の形態ではＲＥＣボタン）が押下されたか否かを判別する（ステップＳ３５）。ステップＳ３５において録画終了ボタンが押下されていないと判別された場合には（ステップＳ３５、Ｎｏ）、制御部１０は、ステップＳ３４の処理に戻り、ステップＳ３４及びＳ３５の処理を繰り返す。
【００３７】
一方、ステップＳ３４において録画可能時間が経過したと判別された場合（ステップＳ３４、Ｙｅｓ）、またはステップＳ３５において録画終了ボタンが押下されたと判別された場合（ステップＳ３５、Ｙｅｓ）には、制御部１０は、動画像及び音声の記録を終了する（ステップＳ３６）。即ち、図１０に示すように、時間ｔ４が録画可能時間経過時であった場合、または時間ｔ４がユーザーによる録画終了ボタンの押下のタイミングであった場合には、時間ｔ３から継続されていた第１の状態での動画像の記録、及び音声の記録を時間ｔ４において終了させる。
【００３８】
次に、制御部１０は、時間ｔ２から時間ｔ４の間に記録された動画像（第２の状態から第１の状態へと徐々に変化する動画像を含む動画像）に基づく動画像データを、撮像素子１２からの撮像信号に基づいて作成し、かつ時間ｔ２から時間ｔ４の間の音声に基づく音声データを、マイク１６からアンプ・Ａ／Ｄ変換部１４を介した音声のデジタル信号に基づいて作成する（ステップＳ３７）。そして、作成された動画像データ及び音声データを記録媒体１８に記録させる（ステップＳ３７）。このとき、記録媒体１８への記録前に、「記録してもよいですか？」等の記録媒体１８への記録を確認するメッセージ、及び「はい・いいえ」等の記録媒体１８への記録の有無を選択するアイコンを表示してもよい。
【００３９】
第１の実施の形態に係る電子カメラ２によれば、フォーカス状態とズーム状態とが連続的に変化する動画像を容易に作成することができる。即ち、従来においては、上述のような動画像を手動で撮影しようとした場合、フォーカスレンズとズームレンズとを同時に移動させる必要があり、高度な操作技術を要していた。しかしながら、この実施の形態に係る電子カメラ２では、フォーカスレンズとズームレンズを自動的に同時に移動させることができるため、高度な操作技術を持ち合わせていなくとも、容易にフォーカス状態とズーム状態とが連続的に変化する動画像、即ち印象的な映像効果を有する動画像を作成することができる。
【００４０】
なお、第１の実施の形態においては、第２の状態であるボケ度合の大きさ（フォーカスレンズ５の位置）及び第２画角（ズームレンズ６の位置）が予め設定されているが、予め設定された第２の状態であるボケ度合の大きさ及び第２画角をデフォルトとし、第２の状態であるボケ度合の大きさ及び第２画角を変更可能に構成することもできる。この場合には、例えば図６に示すステップＳ２２の処理の後、第２の状態であるボケ度合の大きさ及び第２画角の設定を行う。
【００４１】
具体的には、例えば図１１に示すような画面（第１画角に設定された状態で表示されるスルー画像）４２、及び第２画角を設定するための指定枠４４を表示部２０に表示する。ユーザーは、十字キー等を用いて、指定枠４４の大きさを変化させることにより、第２画角、即ち移動前の画面の大きさを設定する。指定枠４４の形状は、表示部２０の表示面の形状に対して相似であり、かつ指定枠４４の中心は、表示部２０の表示面の中心と一致している必要がある。また、指定枠４４の大きさの範囲、即ち設定可能な第２画角の範囲は、撮影レンズ４の焦点距離範囲も基づいて決定される。なお、画面（第１画角に設定された状態で表示部２０の表示面に表示されるスルー画像）４２上で指定枠４４を用いて第２画角を設定する代わりに、実際にズームレンズ６を移動させることにより第２画角を設定してもよい。
【００４２】
第２画角を設定した後（例えば、ユーザーにより指定枠４４の大きさが設定され、ＯＫボタンが押下された後）、第２の状態であるボケ度合を設定する。具体的には、表示部２０の表示面上に第２画角に設定された画面を表示する。制御部１０は、ユーザーによる十字キー等を介した操作指示に従ってフォーカスレンズ５を駆動させ、図６のステップＳ２１において設定したフォーカスポイントが指す被写体を徐々にデフォーカスさせる。ユーザーは、表示部２０に表示される画像を確認しながら、ボケ度合を決定し、決定した後、ＯＫボタンを押下する。制御部１０は、ユーザーによりＯＫボタンが押下されたことを判別すると、その時点でのボケ度合、即ちフォーカスレンズ５の位置を、第２の状態での非合焦の度合に設定する。第２画角及び第２の状態でのボケ度合の設定後、即ちフォーカスレンズ５及びズームレンズ６が第２の状態の位置のまま、制御部１０は、ユーザーにより録画開始ボタンが押下された否かを判別する。そして、録画開始ボタンが押下されたと判別された場合には、既にフォーカスレンズ５及びズームレンズ６が第２の状態の位置にあるため、直ちに動画像及び音声の記録を開始し、フォーカスレンズ５及びズームレンズ６の移動を開始する。
【００４３】
なお、第１及び第２画角、フォーカスポイント及び非合焦の度合を設定可能な場合において、上述のように、第１画角及びフォーカスポイントを設定した後、第２画角及び非合焦の度合を設定してもよいが、第２画角及び非合焦の度合を設定した後、第１画角及びフォーカスポイントを設定してもよい。
【００４４】
次に、図面を参照して、本発明の第２の実施の形態に係る電子カメラについて説明する。第２の実施の形態に係る電子カメラにおいては、第１の実施の形態に係る電子カメラ２の構成と同一の構成を有しているため、その説明を省略し、同一の構成には同一の符号を用いて説明を行う。
【００４５】
この第２の実施の形態においては、制御部１０は、表示部２０の表示面に表示されているスルー画像（第１画角に設定された状態の画像）上に被写体として人物が存在する場合において、撮像素子１２からの撮像信号に基づく画像内における人物の顔領域の検出を行う。顔領域の検出は、色（肌色）の検出、目鼻口等の顔を形成する特徴部の検出、顔の輪郭部の検出等、周知の技術を用いて行う。制御部１０は、画像内における顔領域の検出結果に基づいて、第２画角を設定する。
【００４６】
また、制御部１０は、撮像素子１２からの撮像信号に基づく画像（第１の状態に設定されている画像）の高域成分の抽出を行う。高域成分の抽出は、制御部１０内の図示しない画像処理部に設けられているハイパスフィルタ等を用いた周知の技術により行う。制御部１０は、画像内における高域成分の抽出結果に基づいて、第２の状態における非合焦の度合を設定する。
【００４７】
即ち、制御部１０は、図２に示すステップＳ１０〜ステップＳ１３の処理を終えた後、第２の実施の形態に係る動画像を撮影するための設定へと移行する（ステップＳ１４）。図１２は、第２の実施の形態に係る電子カメラにおいて、シナリオ動画撮影モードＢの動画像を撮影するための設定を行う際の処理について説明するためのフローチャートである。なお、ステップＳ４０〜Ｓ４２の処理は、図６に示すステップＳ２０〜Ｓ３２の処理と同一のため、その説明を省略する。
【００４８】
次に、制御部１０は、撮像素子１２からの撮像信号に基づく画像（第１の状態に設定されている画像）の顔領域を検出する（ステップＳ４３）。即ち、撮影画面（表示部２０の表示面に表示されているスルー画像のサイズ）に対する顔領域のサイズを検出し、検出結果に基づいて移動前の画角（第２画角）を設定する（ステップＳ４４）。具体的には、撮影画面に対する顔領域のサイズが所定のサイズとなるように、第２画角を設定する。即ち、ズームレンズ６の移動量が設定され、ズームレンズ６の移動量は、ステップＳ４３において検出された顔領域のサイズと所定のサイズとの差分に基づいて決定される（例えば、差分に比例して決定）。なお、所定のサイズは、予め設定されており、図示しないメモリ等に記憶されている。
【００４９】
次に、制御部１０は、撮像素子１２からの撮像信号に基づく画像（第１の状態に設定されている画像）の高域成分を抽出する（ステップＳ４５）。なお、画像全体の高域成分でなく、移動後のフォーカスポイント領域の高域成分を抽出してもよい。そして、ステップＳ４５において抽出された高域成分に基づいて、第２の状態での非合焦の度合（ボケ度合）を設定する（ステップＳ４６）。具体的には、画像の高域成分が所定量以下となるように、第２の状態での非合焦の度合（ボケ度合）を設定する。即ち、フォーカスレンズ５の移動量が設定され、フォーカスレンズ５の移動量は、ステップＳ４５において検出された高域成分と所定量との差分に基づいて決定される（例えば、差分に比例して決定）。なお、所定量は、予め設定されており、図示しないメモリ等に記憶されている。
【００５０】
動画像撮影のための設定を終えた後、制御部１０は、動画像の撮影へと移行する（図２のステップＳ１５）。なお、第２の実施の形態に係る電子カメラにおいて動画像を撮影するための処理は、第１の実施の形態に係る電子カメラ２において動画像を撮影するための処理（図９参照）と同一のため、その説明を省略する。
【００５１】
第２の実施の形態に係る電子カメラによれば、第１の実施の形態に係る電子カメラ２における効果に加えて、第２画角及び非合焦の度合を顔領域の検出結果及び高域成分の抽出結果に基づいて自動で設定することができる。したがって、より精度良く、より手軽にフォーカス状態とズーム状態とが連続的に変化する動画像、即ち印象的な映像効果を有する動画像を作成することができる。
【００５２】
なお、第２の実施の形態においては、第１の状態に設定されている画像の顔領域の検出結果に基づいて第２画角のみを設定しているが、顔領域の検出結果に基づいて第１画角及び第２画角を設定することもできる。第１画角も、第２画角と同様に、撮影画面に対する顔領域のサイズが、第１画角設定用に予め設定されたサイズ（上述の所定のサイズと異なるサイズ）となるように、設定される。この場合には、電子カメラ２が自動的に第１及び第２画角を設定するため、ユーザーが第１及び第２画角を設定する必要がなく、より手軽に本発明に係る動画像の撮影を行うことができる。また、顔領域の検出結果に基づいて第１画角のみを設定する構成にしてもよい。
【００５３】
なお、上述の各実施の形態においては、ズームインされた非合焦の状態からズームアウトしつつ目標被写体に合焦させた状態へ変化する動画像を撮影しているが、本発明による技術を用いて、ズームアウトされた非合焦の状態からズームインしつつ目標被写体に合焦させた状態へ変化する動画像、ズームインされた所定被写体に対して合焦の状態からズームアウトしつつ所定被写体に対して非合焦な状態へと変化する動画像、またはズームアウトされた所定被写体に対して合焦の状態からズームインしつつ所定被写体に対して非合焦な状態へと変化する動画像を撮影することもできる。また、目標被写体に対して合焦の状態を維持しつつ、ズームインからズームアウトへ、またはズームアウトからズームインへと変化する動画像を撮影することもできる。これらの場合において、移動前後の画角、フォーカスポイント及び非合焦の度合の設定は、上述の各実施の形態における設定と同様に行う。
【００５４】
また、上述の各実施の形態においては、第１の状態から第２の状態へ（または、第２の状態から第１の状態へ）と移動する時間である所定時間が予め設定されているが、予め設定されている所定時間をデフォルトとし、所定時間を変更可能に構成することもできる。この場合には、メニューの中のメニュー項目に所定時間設定の項目を加え、動画像を撮影するために、メニュー画面を表示部２０に表示し、十字キー等を用いて操作することにより所定時間の設定を行う。または、表示部２０の表示面上においてユーザーが第１または第２画角を設定している際、フォーカスポイントまたは非合焦の度合を設定している際に、表示部２０の表示面右下部等に所定時間（例えば、「５ｓｅｃ」等）を表示し、ユーザーが十字キー等を用いて操作することにより所定時間の設定を行うこともできる。
【００５５】
また、上述の各実施の形態においては、図１０のグラフに示すように、フォーカスレンズ５及びズームレンズ６が非線形的に移動するように予め設定されているが、これをデフォルトとし、フォーカスレンズ５及びズームレンズ６が線形的に変化するかまたは非線形的に変化するかを選択可能に構成してもよい。この場合には、メニューの中のメニュー項目に線形的か非線形的かを選択する項目を加え、動画像を記録する前に、メニュー画面を表示部２０に表示し、十字キー等を用いて操作することにより線形的か非線形的かの選択を行う。
【００５６】
また、上述の各実施の形態においては、録画可能時間が予め設定されており、録画可能時間より長い時間の録画を禁止しているが、ユーザーにより録画終了ボタンが押下されるまで録画及び録音を継続する構成にすることもできる。また、予め設定された録画可能時間をデフォルトとし、録画可能時間を変更可能に構成することもできる。
【００５７】
また、上述の各実施の形態においては、画角やフォーカスポイント等を十字キーやＯＫボタンを用いて設定しているが、電子カメラ２にタッチパネルＩ／Ｆ、及びタッチパネルＩ／Ｆに接続され、表示部２０の表示画面上に設けられるタッチパネルを備え、このタッチパネルを用いて画角やフォーカスポイント等を設定してもよい。この場合には、制御部１０は、タッチパネル（表示部２０の表示画面）上に例えばユーザーの指、ペン等で触れることによりタッチパネルＩ／Ｆを介して認識し、認識結果に基づいた処理を行う。
【００５８】
また、上述の各実施の形態においては、フォーカス位置の検出方法（オートフォーカス機能）としてコントラスト検出方式によるオートフォーカス機能を備えた電子カメラを例に挙げて説明したが、本発明はこれに限られるものではない。例えば特開２００９−８９１４４号公報記載のような、撮像素子１２の一部に、瞳分割位相差検出方式を行うためのＡＦ用画素が埋め込まれた撮像素子を用いてオートフォーカス機能を実現する電子カメラについても本発明を適用することができる。
【００５９】
また、上述の各実施の形態においては、ズームレンズ６を備えた撮影レンズ４が電子カメラ２に装着されているものとして説明しているが、単焦点撮影レンズが電子カメラ２に装着されている場合には、本発明によるフォーカス状態とズーム状態が連続的に変化する動画像の撮影を行うことができない。この場合には、図２に示すステップＳ１０〜Ｓ１３の処理の何れかにおいて、単焦点撮影レンズが装着されているためフォーカス状態とズーム状態が連続的に変化する動画像の撮影を行うことができない旨を報知するメッセージを表示するとよい。
【符号の説明】
【００６０】
２…電子カメラ、４…撮影レンズ、５…フォーカスレンズ、６…ズームレンズ、７…フォーカスレンズ駆動部、８…ズームレンズ駆動部、１０…制御部、１２…撮像素子、１４…アンプ・Ａ／Ｄ変換部、１６…マイク、１８…記録媒体、２０…表示部、２２…スピーカ、２４…操作部、２６…記憶部
【図１】
2011087010.tif 000003
【図２】
2011087010.tif 000004
【図３】
2011087010.tif 000005
【図４】
2011087010.tif 000006
【図５】
2011087010.tif 000007
【図６】
2011087010.tif 000008
【図７】
2011087010.tif 000009
【図８】
2011087010.tif 000010
【図９】
2011087010.tif 000011
【図１０】
2011087010.tif 000012
【図１１】
2011087010.tif 000013
【図１２】
2011087010.tif 000014